(57)【要約】【課題】人体通信を利用し，ユーザによって選択された表示オブジェクトに対応する提供データをユーザに送信するデータ提供システムを提供する。【解決手段】キオスク端末２には，タッチパネル部２１の透明導電部材２１ａを利用した人体通信機能が備えられ，タッチパネル部２１に表示された表示オブジェクトが押されると，該表示オブジェクトの識別子を少なくとも含む操作データをユーザ７が所持する人体通信リーダライタ３へ送信し，ＩＣカード３ａに該操作データを書き込む処理を実行する。提供データをユーザ７に提供するとき，ＩＣカード３ａに記憶された操作データがコンピュータ６によって読み取られ，データ提供サーバ５に送信される。データ提供サーバ５は，操作データに対応する提供データを検索し，コンピュータ６に送信する。【選択図】図１
2010226462.tif 000002
【特許請求の範囲】
【請求項１】
データを記憶するメモリ部と，導電部材を利用するデバイス人体通信部と，前記デバイス人体通信部が受信したメッセージに従い，前記メモリ部に対してデータの読み書きを行うデバイス制御部を備えた人体通信デバイスと，
一つ以上の表示オブジェクトが表示されるディスプレイと平面状の透明導電部材を有するタッチパネル部と，前記透明導電部材を利用するパネル人体通信部と，前記透明導電部材が押されたとき，前記透明導電部材の押された箇所に表示されている前記表示オブジェクトの識別子を含む操作データを生成し，前記パネル人体通信部を利用して，前記操作データを前記メモリ部に書き込むメッセージを前記人体通信デバイスに送信する端末制御部とを備えた情報端末装置と，
前記メモリ部から前記操作データを読み出すメッセージを前記人体通信デバイスに送信し，読み取った前記操作データをデータ提供装置に送信するコンピュータと，
前記表示オブジェクトの識別子を含むメタデータが付与された提供データを複数記憶するデータ記憶部と，前記コンピュータから前記操作データが送信されると，前記操作データに含まれる前記表示オブジェクトの識別子を含む前記メタデータが付与された前記提供データを前記データ記憶部から検索し，検索した前記提供データを前記コンピュータに提供する提供装置制御部を備えたデータ提供装置とから構成されていることを特徴とするデータ提供システム。
【請求項２】
請求項１に記載のデータ提供システムにおいて，前記情報端末装置の前記端末制御部は，前記表示オブジェクトの識別子に加えて，前記情報端末装置の識別子を前記操作データに含ませ，前記データ提供装置の前記データ記憶部に記憶された前記提供データの前記メタデータには，前記表示オブジェクトの識別子に加えて，前記情報端末装置の識別子が含まれ，前記データ提供装置の前記提供装置制御部は，前記操作情報に含まれる前記表示オブジェクトの識別子及び前記情報端末装置の識別子を含む前記メタデータが付与された前記提供データを検索することを特徴とするデータ提供システム。
【請求項３】
請求項１または請求項２に記載のデータ提供システムにおいて，前記情報端末装置の前記端末制御部は，前記情報端末装置を操作するユーザのログイン処理を実行する手段を備え，前記ログイン処理に成功したときのみ，前記操作データを前記人体通信デバイスに書き込む処理を実行することを特徴とするデータ提供システム。
【請求項４】
一つ以上の表示オブジェクトが表示されるディスプレイと平面状の透明導電部材を有するタッチパネル部と，前記透明導電部材を利用するパネル人体通信部と，前記透明導電部材が押されたとき，前記透明導電部材の押された箇所に表示されている前記表示オブジェクトの識別子を含む操作データを生成し，前記パネル人体通信部を利用して，メモリに前記操作データを書き込むメッセージを前記人体通信デバイスに送信する端末制御部と，
を備えたことを特徴とする情報端末装置。
【請求項５】
請求項４に記載の情報端末装置であって，前記端末制御部は，前記情報端末装置の識別子を前記操作データに含ませることを特徴とする情報端末装置。
【請求項６】
ユーザが所持する人体通信デバイスと，透明導電部材を有するタッチパネル部を有する情報端末装置と，前記ユーザによって操作されるコンピュータと，前記コンピュータに提供データを送信するデータ提供装置とを利用したデータ提供方法であって，
前記タッチパネル部が有する前記透明導電部材が押されると，前記情報端末装置が，前記透明導電部材の押された箇所に表示されている前記表示オブジェクトの識別子を含む操作データを生成し，前記透明導電部材を利用した人体通信を用いて，生成した前記操作データを書き込むメッセージを前記人体通信デバイスに送信するステップａ，前記人体通信デバイスが，前記メッセージに含まれる前記操作データをメモリに書き込むステップｂが実行される操作データ記憶工程と，
前記コンピュータが，前記操作データの読み出しメッセージを前記人体デバイスに送信し，読み取った前記操作データをデータ提供装置に送信するステップｃ，前記データ提供装置が，前記コンピュータから受信した前記操作データに含まれる前記表示オブジェクトの識別子を含むメタデータが付与された前記提供データを検索し，検索した前記提供データを前記コンピュータに提供するステップｄが実行さえるデータ提供工程と，
が含まれることを特徴とするデータ提供方法。
【請求項７】
請求項６に記載のコンテンツ提供方法において，前記操作データ記憶工程の前記ステップａにおいて，前記情報端末装置は，前記表示オブジェクトの識別子に加えて，前記情報端末装置の識別子を前記操作データに含ませ，前記データ提供工程の前記ステップｄにおいて，前記データ提供装置は，前記表示オブジェクトの識別子に加えて，前記情報端末装置の識別子を含む前記メタデータが付与された前記提供データを検索することを特徴とするデータ提供方法。
【発明の詳細な説明】
【技術分野】
【０００１】
本発明は，微弱な電流や電波を人体に伝搬させる人体通信を利用し，ユーザが所望するデータをユーザに配信するための技術に関する。
【背景技術】
【０００２】
コンビニエンスストアや大型ショップなどに様々な提供データを提供するキオスク端末が配置されようになった。キオスク端末は，ユーザインターフェースとしてタッチパネルを備え，このタッチパネルには，ユーザが押した箇所の特定に利用される透明電極パネルが設けられていることが多いため，この透明電極パネルに電流を流し，透明電極パネルを人体通信の導電部材として利用できるように構成されたデータ入力装置が特許文献１で開示されている。
【０００３】
特許文献１で開示されているデータ入力装置は，タッチパネルを用いて暗証番号が入力される装置（例えば，ＡＴＭやドアゲート）に利用される発明であるが，該データ入力装置をキオスク端末にも適用することは当然可能で，該データ入力装置をキオスク端末に適用すれば，ユーザが押した表示オブジェクトに対応する提供データ（例えば，商品・サービスの情報）に係わる情報を，ユーザが所持する人体通信デバイスに記憶させることができるようなる。
【０００４】
また，人体通信技術を利用して商品情報を提供する発明としては，既に，特許文献２において，人体通信する機能を備えたＩＣタグを商品に貼り付けておき，消費者が該商品を手に取ったときに，ＩＣタグが貼られた商品の商品ＩＤをユーザが所持する携帯通信端末に人体通信を利用して記憶させ，携帯通信端末に記憶された商品ＩＤで特定される商品情報を，郵便或いはウェブサイトでユーザに提供する旨が記述されている。
【０００５】
このように，キオスク端末で表示されている表示オブジェクトがユーザによって押されたときに，該表示オブジェクトに対応する提供データ（例えば，商品情報や商品ＩＤ）を，人体通信に対応しユーザが所持する人体通信デバイスに記憶させることは，従来技術を組合せることで容易に実現可能であるが，該提供データを集中管理するとき，人体通信を利用して，ユーザが所望する提供データを人体通信デバイスに記憶させることが難しい場合がある。
【０００６】
何故なら，提供データを集中管理するとき，キオスク端末は，ユーザが押した表示オブジェクトに係わる提供データを，提供データを集中管理しているサーバに問い合わせる必要があり，該サーバに提供データを問い合わせている間に，ユーザの指がタッチパネルから離れ，キオスク端末と人体通信デバイスとが、通信できない状態になってしまうからである。
【先行技術文献】
【特許文献】
【０００７】
【特許文献１】特開２００６？３１８０６７号公報
【特許文献２】特開２００５−３１７３３号公報
【発明の概要】
【発明が解決しようとする課題】
【０００８】
そこで，本発明は，情報端末装置（例えば，キオスク端末）のタッチパネルに表示された表示オブジェクトに対応する提供データが集中管理されている場合であっても，人体通信を利用し，ユーザによって選択された表示オブジェクトに対応する提供データをユーザに提供できるデータ提供システム及び方法等を提供することを目的とする。
【課題を解決するための手段】
【０００９】
上述した課題を解決する第１の発明は，データを記憶するメモリ部と，導電部材を利用するデバイス人体通信部と，前記デバイス人体通信部が受信したメッセージに従い，前記メモリ部に対してデータの読み書きを行うデバイス制御部を備えた人体通信デバイスと，
一つ以上の表示オブジェクトが表示されるディスプレイと平面状の透明導電部材を有するタッチパネル部と，前記透明導電部材を利用するパネル人体通信部と，前記透明導電部材が押されたとき，前記透明導電部材の押された箇所に表示されている前記表示オブジェクトの識別子を含む操作データを生成し，前記パネル人体通信部を利用して，前記操作データを前記メモリ部に書き込むメッセージを前記人体通信デバイスに送信する端末制御部とを備えた情報端末装置と，前記メモリ部から前記操作データを読み出すメッセージを前記人体通信デバイスに送信し，読み取った前記操作データをデータ提供装置に送信するコンピュータと，前記表示オブジェクトの識別子を含むメタデータが付与された提供データを複数記憶するデータ記憶部と，前記コンピュータから前記操作データが送信されると，前記操作データに含まれる前記表示オブジェクトの識別子を含む前記メタデータが付与された前記提供データを前記データ記憶部から検索し，検索した前記提供データを前記コンピュータに提供する提供装置制御部を備えたデータ提供装置とから構成されていることを特徴とするデータ提供システムである。
【００１０】
また，第２の発明は，第１の発明に記載のデータ提供システムにおいて，前記情報端末装置の前記端末制御部は，前記表示オブジェクトの識別子に加えて，前記情報端末装置の識別子を前記操作データに含ませ，前記データ提供装置の前記データ記憶部に記憶された前記提供データの前記メタデータには，前記表示オブジェクトの識別子に加えて，前記情報端末装置の識別子が含まれ，前記データ提供装置の前記提供装置制御部は，前記操作データに含まれる前記表示オブジェクトの識別子及び前記情報端末装置の識別子を含む前記メタデータが付与された前記提供データを検索することを特徴とするデータ提供システムである。
【００１１】
また，第３の発明は，第１の発明または第２の発明に記載のデータ提供システムにおいて，前記情報端末装置の前記端末制御部は，前記情報端末装置を操作するユーザのログイン処理を実行する手段を備え，前記ログイン処理に成功したときのみ，前記操作データを前記人体通信デバイスに書き込む処理を実行することを特徴とするデータ提供システムである。
【００１２】
上述した第１の発明によれば，前記タッチパネル部に表示された前記表示オブジェクトが押されたときに，前記人体通信デバイスに書き込まれる前記表示オブジェクトの識別子は，前記情報端末装置側で判断できるため，前記提供データを集中管理している前記データ提供装置に問い合わせる必要はなくなるため，前記タッチパネル部とユーザの指が接触している短い時間の間に，前記表示オブジェクトの識別子を前記人体通信デバイスに書き込むことができるようになる。
【００１３】
また，人体通信は人体を伝送経路として利用するためノイズに弱いが，前記表示オブジェクトの識別子は８から１０文字程度の英数字で表記できるため，ノイズが生じている場合であっても，前記表示オブジェクトの識別子を前記人体通信デバイスに書き込むことができるようになる。
【００１４】
更に，第２の発明のように，前記操作データに前記情報端末装置の識別子を含ませれば，前記情報端末装置毎に前記提供データが異なる場合に対応することができる。また，第３の発明のように，前記情報端末装置がユーザをログイン処理することで，許可されたユーザに対してのみ，前記提供データを提供できるようになる。
【００１５】
更に，第４の発明は，一つ以上の表示オブジェクトが表示されるディスプレイと平面状の透明導電部材を有するタッチパネル部と，前記透明導電部材を利用するパネル人体通信部と，前記透明導電部材が押されたとき，前記透明導電部材の押された箇所に表示されている前記表示オブジェクトの識別子を含む操作データを生成し，前記パネル人体通信部を利用して，メモリに前記操作データを書き込むメッセージを前記人体通信デバイスに送信する端末制御部とを備えたことを特徴とする情報端末装置である。
【００１６】
また，第５の発明は，第４の発明に記載の情報端末装置であって，前記端末制御部は，前記情報端末装置の識別子を前記操作データに含ませることを特徴とする情報端末装置である。
【００１７】
更に，第６の発明は，ユーザが所持する人体通信デバイスと，透明導電部材を有するタッチパネル部を有する情報端末装置と，前記ユーザによって操作されるコンピュータと，前記コンピュータに提供データを送信するデータ提供装置とを利用したデータ提供方法であって，前記タッチパネル部が有する前記透明導電部材が押されると，前記情報端末装置が，前記透明導電部材の押された箇所に表示されている前記表示オブジェクトの識別子を含む操作データを生成し，前記透明導電部材を利用した人体通信を用いて，生成した前記操作データを書き込むメッセージを前記人体通信デバイスに送信するステップａ，前記人体通信デバイスが，前記メッセージに含まれる前記操作データをメモリに書き込むステップｂが実行される操作データ記憶工程と，前記コンピュータが，前記操作データの読み出しメッセージを前記人体デバイスに送信し，読み取った前記操作データをデータ提供装置に送信するステップｃ，前記データ提供装置が，前記コンピュータから受信した前記操作データに含まれる前記表示オブジェクトの識別子を含むメタデータが付与された前記提供データを検索し，検索した前記提供データを前記コンピュータに提供するステップｄが実行さえるデータ提供工程とが含まれることを特徴とするデータ提供方法である。
【００１８】
また，第７の発明は，第６の発明に記載のデータ提供方法において，前記操作データ記憶工程の前記ステップａにおいて，前記情報端末装置は，前記表示オブジェクトの識別子に加えて，前記情報端末装置の識別子を前記操作データに含ませ，前記データ提供工程の前記ステップｄにおいて，前記データ提供装置は，前記表示オブジェクトの識別子に加えて，前記情報端末装置の識別子を含む前記メタデータが付与された前記提供データを検索することを特徴とするデータ提供方法である。
【発明の効果】
【００１９】
上述したように，本発明によれば，情報端末装置（例えば，キオスク端末）のタッチパネルに表示された表示オブジェクトに対応する提供データが集中管理されている場合であっても，人体通信を利用し，ユーザによって選択された表示オブジェクトに対応する提供データをユーザに提供できるデータ提供システム及び方法等を提供できる。
【図面の簡単な説明】
【００２０】
【図１】データ提供システムの構成を説明する図。
【図２】キオスク端末のブロック図。
【図３】タッチパネル部に表示されるメニュー画面の一例を説明する図。
【図４】人体通信リーダライタ及びＩＣカードを説明する図。
【図５】人体通信リーダライタのブロック図。
【図６】データ提供サーバのブロック図。
【図７】操作データをＩＣカードに記憶する処理手順を示したフロー図。
【図８】提供データをコンピュータに配信する処理手順を示したフロー図。
【発明を実施するための形態】
【００２１】
ここから，本発明を実施するための形態を開示する。図１は，本実施形態におけるデータ提供システム１の構成を説明する図である。
【００２２】
図１で図示したデータ提供システム１は，ユーザ７が希望する提供データをユーザ７の自宅に設置されたコンピュータに配信するシステムで，人体通信に対応したタッチパネル部２１を備え，本発明の情報端末装置に該当するキオスク端末２と，ユーザ７が所持する人体通信リーダライタ３と，人体通信リーダライタ３に装着されて利用されるＩＣカード３ａと，チラシ情報など店舗毎に異なる様々な提供データを集中管理しているデータ提供サーバ５と，ユーザ７によって操作され，ＩＣカードリーダ６ａを備えたコンピュータ６とから構成され，人体通信リーダライタ３とＩＣカード３は組み合わされて本発明の人体通信デバイスとして機能し，キオスク端末２，コンピュータ６及びデータ提供サーバ５はインターネット４を介して接続されている。
【００２３】
図１で図示したキオスク端末２のタッチパネル部２１には，ユーザ７が提供データの種別を選択できるように，提供データの種別にそれぞれ対応する表示オブジェクト（例えば，アイコン）が表示され，ユーザ７が表示オブジェクトを選択すると，選択された表示オブジェクトの識別子及びキオスク端末２の識別子を含む操作データが，人体通信を利用して，ユーザ７が所持するＩＣカード３ａに記憶される。
【００２４】
ユーザ７が，コンピュータ６を利用して，キオスク端末２で押した表示オブジェクトに対応する提供データをデータ提供サーバ５から取得するとき，ＩＣカード３ａに記憶された操作データはコンピュータ６によって読み取られて，データ提供サーバ５に送信され，データ提供サーバ５からコンピュータ６に該操作データに対応した提供データが配信される。
【００２５】
選択された表示オブジェクトの識別子及びキオスク端末２のＩＤを含む操作データをＩＣカード３ａに記憶させるのは，ユーザ７の指がタッチパネル部２１と接触している間に，提供データの配信に必要な情報をＩＣカード３ａに記憶できるようにするためである。
【００２６】
本実施形態では，提供データはデータ提供サーバ５で集中管理されているため，キオスク端末２は，ユーザ７が選択した表示オブジェクトに対応する提供データをデータ提供サーバ５に問い合わると，キオスク端末２のタッチパネル部２１からユーザ７の指が離れてしまい，人体通信を利用して，ユーザ７が所持するＩＣカード３ａに提供データを書き込むことができない。
【００２７】
そこで，本実施形態では，ユーザ７が選択した表示オブジェクトに対応する提供データを特定する情報として，選択された表示オブジェクトの識別子及びキオスク端末２のＩＤを含む操作データをＩＣカード３ａに書き込むようにすることで，データ提供サーバ５に問い合わせることは必要なくなり，キオスク端末２のタッチパネル部２１に表示された表示オブジェクトをユーザ７が指で押している短い時間内に，提供データを取得するための操作データをＩＣカード３ａに書き込むことができる。
【００２８】
なお，操作データにキオスク端末２の識別子を含ませるのは，店舗によってチラシ情報などは異なることが多く，ユーザ７に操作されたキオスク端末２を特定させる処理をデータ提供サーバ５が実行できるようにするためである。ユーザ７に操作されたキオスク端末２を特定できれば，データ提供サーバ５は店舗を特定できる。
【００２９】
まず，図１で図示したデータ提供システム１を構成するキオスク端末２について説明する。図２は，キオスク端末２のブロック図である。
【００３０】
図２に図示したように，キオスク端末２は，透明導電部材２１ａを有するタッチパネル部２１と，メニュー画面などのデータが記憶されるデータ記憶装置２３（例えば，ハードディスク）と，ＣＰＵ２０ａ（Central Processing Unit），ＲＡＭ２０ｂ（Random Access Memory）及びＲＯＭ２０ｃ（ReadOnlyMemory）などが実装され，キオスク端末２の一連の動作を制御する端末制御部２０を備え，データ記憶装置２３には，キオスク端末２の一連の動作を端末制御部２０に実行させるためのコンピュータプログラムが記憶されている。
【００３１】
本実施形態におけるキオスク端末２のタッチパネル部２１は，導電性のある希少金属が透明な基材に蒸着されて実現された透明導電部材２１ａと，ユーザが押した透明導電部材２１ａ上の位置を検出する位置検出回路２１ｃと，文字や画像を表示するディスプレイ２１ｂとが組み合わされた装置で，透明導電部材２１ａのサイズはディスプレイ２１ｂのサイズとほぼ等しく，特許文献１で開示されているデータ入力装置のように，透明導電部材２１ａは人体通信にも利用される。
【００３２】
キオスク端末２の人体通信部２２は人体通信を用いて人体通信リーダライタ３と通信するためにキオスク端末２に備えられ，透明導電部材２１ａを利用して，微弱な電流／電波をユーザ７の人体表面に伝搬させることで，対象となる装置（ここでは，人体通信リーダライタ３）と通信する回路である。
【００３３】
キオスク端末２のデータ記憶装置２３には，タッチパネル部２１にメニュー画面を表示するためのデータに加え，キオスク端末２毎に異なるキオスク端末２の識別子が記憶されている。
【００３４】
図３は，キオスク端末２のタッチパネル部２１に表示されるメニュー画面の一例を説明する図である。図３で図示したメニュー画面８は，提供データの種別としてチラシ情報，イベント情報及び店舗情報（例えば，店舗の見取り図）に対応し，図３で図示したメニュー画面８には，チラシ情報用の表示オブジェクト８ａ，イベント情報用の表示オブジェクト８ｂ及び店舗情報用の表示オブジェクト８ｃに加え，ユーザ７がログインするときに押されるログイン用の表示オブジェクト８ｄが表示されている。
【００３５】
キオスク端末２の制御部２０は，タッチパネル部２１が押され，ユーザ７が押した透明導電部材２１ａ上の位置を示す位置情報をタッチパネル部２１から引き渡されると，該位置情報で示される位置に表示されている表示オブジェクトを特定し，該表示オブジェクトの識別子及びキオスク端末２の識別子を含む操作データをＩＣカード３ａに書き込むメッセージの送信を人体通信部２２に指示し，人体通信リーダライタ３に装着されたＩＣカード３ａに操作データを書き込む処理を実行する。
【００３６】
次に，図１で図示した人体通信リーダライタ３及びＩＣカード３ａについて説明する。
【００３７】
図４は，人体通信リーダライタ３及びＩＣカード３ａを説明する図である。図４で図示したＩＣカード３ａは汎用的な接触型ＩＣカードで，電子マネーの用途で利用されているビューアのように，人体通信リーダライタ３にＩＣカード３ａが装着されて利用される。
【００３８】
図５は，人体通信リーダライタ３のブロック図である。なお，ＩＣカード３ａは，データを書き込むライトコマンド及びデータを読み出すリードコマンドが実装された汎用的なＩＣカード３ａでよいため，ここでは詳細な説明を省く。
【００３９】
図５に図示したように，人体通信リーダライタ３には，ＩＣカード３ａのＩＣモジュール３ａ１と電気接続するためのコネクタ部３２と，コネクタ部３２を制御し，所定のＩＣカード３ａ用伝送プロトコルに従いＩＣカード３ａと通信するカード通信部３１と，人体を流れる電流／電波を検出するための導電体部３４と，人体通信用伝送プロトコルに従いキオスク端末２と人体通信する人体通信部３３と，ＣＰＵ３０ａ，ＲＡＭ３０ｂやＲＯＭ３０ｃなどが実装され，一連の動作を実行するリーダライタ制御部３０とから構成される。
【００４０】
人体通信リーダライタ３に備えられた人体通信部３３は，人体通信リーダライタ３に備えられた導電体部３４の電気出力を検出し，人体通信する電気回路で構成される。
【００４１】
人体通信リーダライタ３に備えられたコネクタ部３２は，ＩＣカード３ａのＩＣモジュール３ａ１が有する各接触面と接続するピンが備えられ，カード通信部３１は，コネクタ部３２が有するピンの電圧を制御し，例えば，ＩＳＯ／ＩＥＣ７８１６に準拠した手順でＩＣカード３ａと通信する回路である。
【００４２】
人体通信リーダライタ３のリーダライタ制御部３０は，ＩＣカード３ａのコマンドメッセージ（ここでは，ライトコマンドのコマンドメッセージ）を人体通信部が受信すると，該コマンドメッセージの送信をカード通信部３１に依頼し，カード通信部３１から得られたレスポンスメッセージをコマンドメッセージの送信先（ここで，キオスク端末２）に人体通信で送信する処理を実行する。
【００４３】
次に，図１で図示したデータ提供システム１を構成するデータ提供サーバ５について説明する。図６は，データ提供サーバ５のブロック図である。
【００４４】
図６に図示したように，データ提供サーバ５は、ハードウェアとして、ＣＰＵ５０ａ、ＲＡＭ５０ｂ及びＲＯＭ５０ｃなどが実装された提供装置制御部５０と，大容量のデータ記憶装置５１，及び，ネットワークインターフェース５２などを備え，データ記憶装置５１には，キオスク端末２やコンピュータ６に配信する一連の処理を実行するコンピュータプログラムに加え，様々な提供データが記憶され，提供データそれぞれにはメタデータが付与されている。
【００４５】
提供データに付与されるメタデータには，提供データの検索に利用される情報が含まれ，本実施形態において，提供データのメタデータには，少なくとも，提供データが対応するキオスク端末２の識別子と，キオスク端末２において提供データと対応付けられている表示オブジェクトの識別子が含まれる。
【００４６】
提供データのメタデータに表示オブジェクトの識別子とキオスク端末２の識別子を含ませるのは，店舗のチラシのように，提供データの種別（ここでは，チラシ）が同じであっても，提供データが店舗毎に異なるケースがあるからである。
【００４７】
なお，図１で図示したデータ提供システム１を構成するコンピュータ６は，汎用なコンピュータでよいため，ここでは詳細な説明を省くが，コンピュータ６には，インターネット４上のウェブページを閲覧するためのコンピュータプログラムであるブラウザが記憶されている。
【００４８】
ここから，本発明に係わる方法の説明も兼ねて，図１で図示した情報提供システムの動作について説明する。
【００４９】
図７は，操作データをＩＣカード３ａに記憶する処理手順を示したフロー図で，図８は，提供データをコンピュータ６に配信する処理手順を示したフロー図である。
【００５０】
まず，図７を参照しながら，操作データをＩＣカード３ａに記憶する手順について説明する。ユーザ７がキオスク端末２の前に行くと，赤外線などが用いられ，キオスク端末２が自動的に起動し，キオスク端末２のタッチパネル部２１にメニュー画面（例えば，図３）が表示される（Ｓ１）。
【００５１】
キオスク端末２のタッチパネル部２１がユーザ７によって操作され，メニュー画面に含まれる表示オブジェクトの中から，ユーザ７が所望する表示オブジェクトが押されたことを検知すると（Ｓ２），ユーザ７が押した透明導電部材２１ａ上の位置情報がタッチパネル部２１から端末制御部２０に引き渡され，端末制御部２０は，メニュー画面のレイアウトなどを参照し，該位置情報で表示されている表示オブジェクトの識別子を特定する（Ｓ３）。
【００５２】
なお，タッチパネル部２１の透明導電部材２１ａがユーザ７の指で押されると，キオスク端末２の透明導電部材２１ａ，人体通信リーダライタ３の導電体部３４及びユーザ７の人体による伝送経路が確立され，キオスク端末２の人体通信部２２と人体通信リーダライタ３間で人体通信が可能になる。
【００５３】
キオスク端末２の端末制御部２０は，ユーザ７が押した表示オブジェクトの識別子を特定すると，特定した表示オブジェクト及びキオスク端末２の識別子を含む操作データをＩＣカード３ａに書き込むためのメッセージの送信を人体通信部２２に指示し，人体通信部２２は操作データを人体通信リーダライタ３に送信する（Ｓ４）。
【００５４】
人体通信リーダライタ３のリーダライタ制御部３０は，操作データをＩＣカード３ａに書き込むためメッセージをキオスク端末２から受信すると，該メッセージの転送をカード通信部３１に指示し，カード通信部３１はメッセージをＩＣカード３ａに転送し（Ｓ５），メッセージに対応するコマンド（ここでは，ライトコマンド）がＩＣカード３ａで実行されることで，メッセージに含まれる操作データがＩＣカード３ａに記憶され（Ｓ６），この手順は終了する。
【００５５】
次に，図８を参照しながら，提供データをコンピュータ６に配信する処理手順について説明する。
【００５６】
ユーザ７に対して提供データが配信されるとき，ユーザ７はコンピュータ６を操作してブラウザを起動させデータ提供サーバ５にアクセスする（Ｓ１０）。
【００５７】
コンピュータ６は，データ提供サーバ５にアクセスすると，ＩＣカードリーダ６ａを制御し，ＩＣカードリーダ6ａに装着されたＩＣカード３ａに対して操作データを読み取るためのメッセージを送信し（Ｓ１１），ＩＣカード３ａから操作データが送信されると（Ｓ１２），コンピュータ６は，ＩＣカードから送信された操作データを提供データサーバ５に転送する動作を行う（Ｓ１３）。
【００５８】
なお，ＩＣカード３ａから操作データを読み取り，操作データをデータ提供サーバ５に送信する動作を行うためのコンピュータプログラムは，予め，コンピュータ６にインストールされていてもよいが，コンピュータ６がデータ提供サーバ５にアクセスしたときに，データ提供サーバ５からコンピュータ６に該コンピュータプログラムが送信され，コンピュータ６上で自動的に起動するようにしてもよい。
【００５９】
提供データサーバは操作データをコンピュータ６から受信すると，受信した操作データに含まれる表示オブジェクト及びキオスク端末２の識別子を含むメタデータが付与された提供データをデータ記憶装置から検索し（Ｓ１４），検索した提供データをコンピュータ６に送信し（Ｓ１５），この手順を終了する。
【００６０】
なお、本発明は、これまで説明した実施の形態に限定されることなく、種々の変形や変更が可能である。
【００６１】
例えば，キオスク端末２の端末制御部２０は，ユーザ７にキオスク端末２へのログインを要求し，ログイン処理に成功したときのみ，操作データをＩＣカード７に書き込む処理を実行するようにしてもよい。
【００６２】
ログイン処理の内容は任意でよく，キオスク端末２のタッチパネル部２１にテンキーを表示させ，タッチパネル部２１に入力された暗証番号を人体通信でＩＣカード７に送信し，ＩＣカード７に該暗証番号を認証させる機能を備えさせ，該暗証番号を認証させるようにしてもよく，更には，ＩＣカード７に会員番号などを記憶され，キオスク端末２が該会員番号を読み取り，該会員番号を認証するようにしてもよい。
【００６３】
また，上述した実施形態では，人体通信機能を備えたリーダライタとＩＣカードを組合せることで，本発明の人体通信デバイスを実現していたが，本発明の人体通信デバイスは一つのデバイスで実現することもできる。
【００６４】
なお，本発明の人体通信デバイスは一つのデバイスで実現するときは，ユーザ７が操作するコンピュータ６に人体通信に対応した周辺機器を接続させることが必要である。
【符号の説明】
【００６５】
１  データ提供システム
２  キオスク端末
２０  端末制御部
２１  タッチパネル部
２１ａ  透明導電部材
２２  人体通信部
３  人体通信リーダライタ
３０  リーダライタ制御部
３１  カード通信部
３２  コネクタ部
３３  人体通信部
３４  導電体部
３ａ  ＩＣカード
４  インターネット
５  データ提供サーバ
６  コンピュータ
７  ユーザ
【図１】
2010226462.tif 000003
【図２】
2010226462.tif 000004
【図３】
2010226462.tif 000005
【図４】
2010226462.tif 000006
【図５】
2010226462.tif 000007
【図６】
2010226462.tif 000008
【図７】
2010226462.tif 000009
【図８】
2010226462.tif 000010